(57)【要約】【課題】指サックを嵌めた場合のような圧迫感がなく、また作業用手袋と指との間で滑りが生じるようなこともなく、精密機械を扱うような指先の細かな作業に好適な作業用手袋を提供する。【解決手段】５指の指覆い部の内、全部または１〜４本の指覆い部の付け根部と先端部との間の位置から先端部を無くした編み手袋１の前記先端部を無くした部分にゴムラテックスまたは溶剤タイプのウレタンを材料として作られた指覆い部２を接合させてなる。【選択図】　　　　図１
2004019038.tif 000002
【特許請求の範囲】
【請求項１】
５指の指覆い部の内、全部または１〜４本の指覆い部の付け根部と先端部との間の位置から先端部を無くした編み手袋の前記先端部を無くした部分にゴムラテックスまたは溶剤タイプのウレタンを材料として作られた指覆い部を接合させてなることを特徴とする作業用手袋。
【請求項２】
拳覆い部の位置から先端部を無くした編み手袋の前記先端部を無くした部分にゴムラテックスまたは溶剤タイプのウレタンを材料として作られ５本の指覆い部と拳覆い部を備えた覆い部を接合させてなることを特徴とする作業用手袋。
【発明の詳細な説明】
【０００１】
【発明の属する技術分野】
本発明は、精密機械の組立てなどの細かな手先を要求される作業に好適な作業用手袋に関するものである。
【０００２】
【従来の技術】
従来から精密機械を扱う作業においては手の汗による汚染を防止するため薄い編み手袋を履いた上に滑止めと汚染防止のため指サックを嵌めて作業を行なっている。指サックはずれ落ちを防止するために入口部分が巻いてあったり、少し狭くなっているため指先を圧迫するという問題があった。
【０００３】
一方、編み手袋（原手）の上に合成樹脂、ゴム素材を被覆したものや含浸させた作業用手袋も知られているが、指にフィットした手袋を履いても肉圧を感じ、指に接する部分は編み手袋であるので、作業用手袋と指との間で滑りが生じ、指先の細かな作業が困難といった問題があった。
【０００４】
【発明が解決しようとする課題】
本発明はこのような課題を解決するもので、指サックを嵌めた場合のような圧迫感がなく、また作業用手袋と指との間で滑りが生じるようなこともなく、精密機械を扱うような指先の細かな作業に好適な作業用手袋を提供することを目的とするものである。
【０００５】
【問題を解決するための手段】
この課題を解決するために本発明は、５指の指覆い部の内、全部または１〜４本の指覆い部の付け根部と先端部との間の位置から先端部を無くした編み手袋の前記先端部を無くした部分にゴムラテックスまたは溶剤タイプのウレタンを材料として作られた指覆い部を接合させてなることを要旨とするものである。また本発明は、拳覆い部の位置から先端部を無くした編み手袋の前記先端部を無くした部分にゴムラテックスまたは溶剤タイプのウレタンを材料として作られ５本の指覆い部と拳覆い部を備えた覆い部を接合させてなることを要旨とするものである。
【０００６】
以下、本発明について詳細に説明する。
先ず、本発明に使用されるゴムラテックスは、天然ゴム、イソプレンゴム、クロロプレンゴム、アクリル酸エステルゴム、スチレン−ブタジエン共重合体ゴム、アクリロニトリル−ブタジエン共重合体ゴム、ウレタンゴム、ブチルゴム、ポリブタジエンゴム、シリコーンゴムなどの単独重合体ラテックスあるいは共重合体ラテックス、１０質量％以下のカルボキシル変性基などをもつ共重合体ラテックスであり、周知の架橋剤、加硫促進剤、老化防止剤、増粘剤、有機や無機の充填剤、可塑剤などを添加して使用される。
【０００７】
前記編み手袋は５指の指覆い部の内、全部または１〜４本の指覆い部の付け根部と先端部との間の位置から先端部を無くした状態で編機により編成するか、５本指覆い部付きの編み手袋から指覆い部を鋏などでカットすることにより作られる。また、拳覆い部の位置から先端部を無くした編み手袋についても同様で、拳覆い部の位置から先端部を無くした状態で編機により編成するか、５本指覆い部付きの編み手袋から拳覆い部の位置から先端部を鋏などでカットすることにより作られる。
【０００８】
そして、この編み手袋とゴムラテックスを材料として作られた指覆い部もしくは５本の指覆い部と拳覆い部を備えた覆い部を接合させて作業用手袋を製造する方法としては、編み手袋を手型に裏返した状態で被せ、編み手袋から露出する手型の部分に編み手袋の切断端部に跨るように凝固剤溶液を付着させた状態で編み手袋から露出する手型の部分をゴムラテックスに浸漬し、所定時間のキュアを行ない、手型を充分に冷却してから手袋を離型して乾燥させることにより作業用手袋を製造する方法があり、これにより編み手袋とゴムラテックスを材料として作られた部分との繋がり部においてゴムラテックスは編み手袋に浸透して繋がり部強度が大となる。
【０００９】
本発明は以上述べたゴムラテックスの代わりに溶剤タイプのウレタンを使用することも可能であり、その場合は製造時にゴムラテックスを使用する場合のような凝固剤溶液を付着させる工程が不要であるが、編み手袋と溶剤タイプのウレタンを材料として作られた部分との繋がり部において溶剤タイプのウレタンは編み手袋に浸透して繋がり部強度が大となる。
【００１０】
この構成により、編成により作られた編み手袋に設けられていない指覆い部などの範囲をゴムラテックスまたは溶剤タイプのウレタンを材料として作られた覆い部で形成してあることにより、特に指先覆い部での皮膚に伝わる感触が良好となり、指サックを嵌めた場合のような圧迫感がなく、また作業用手袋と指との間で滑りが生じるようなこともなく、精密機械を扱うような指先の細かな作業に好適な作業用手袋を提供することができる。
【００１１】
【発明の実施の形態】
以下、本発明の実施の形態について、図面に基づいて説明する。
図１および図２に示す第１の実施の形態の作業用手袋は、編み手袋１には５指の指覆い部が付け根部から存在しないように編成され、編成により設けられる指覆い部に代わってゴムラテックスまたは溶剤タイプのウレタンを材料として作られた指覆い部２を編み手袋１に接合させて設けている。３は編み手袋１と指覆い部２との接合部である。
【００１２】
次に、図３に示す第２の実施の形態の作業用手袋は、編み手袋１１には親指覆い部を含めて拳覆い部の位置から先端部が存在しないように編成され、編成により設けられる覆い部に代わってゴムラテックスまたは溶剤タイプのウレタンを材料として作られた覆い部１２を編み手袋１１に接合させて設けている。１３は編み手袋１１と覆い部１２との接合部である。
【００１３】
以上２つの実施の形態について説明したが、ゴムラテックスまたは溶剤タイプのウレタンを材料として作られた覆い部を設ける位置は図面に示す実施の形態に限定されるものではなく、要は編成により作られた編み手袋に設けられていない指覆い部などの範囲をゴムラテックスまたは溶剤タイプのウレタンを材料として作られた覆い部で形成する点に特徴がある。
【００１４】
【発明の効果】
以上のように本発明によれば、編成により作られた編み手袋に設けられていない指覆い部などの範囲をゴムラテックスまたは溶剤タイプのウレタンを材料として作られた覆い部で形成してあることにより、特に指先覆い部での皮膚に伝わる感触が良好となり、指サックを嵌めた場合のような圧迫感がなく、また作業用手袋と指との間で滑りが生じるようなこともなく、精密機械を扱うような指先の細かな作業に好適な作業用手袋を提供することができる。
【図面の簡単な説明】
【図１】本発明の第１の実施の形態における作業用手袋の斜視図である。
【図２】同断面図である。
【図３】本発明の第２の実施の形態における作業用手袋の斜視図である。
【符号の説明】
１　　編み手袋
２　　指覆い部
３　　接合部
１１　　編み手袋
１２　　覆い部
１３　　接合部
【図１】
2004019038.tif 000003
【図２】
2004019038.tif 000004
【図３】
2004019038.tif 000005